(57)【要約】【課題】配信範囲の基点を配信者の位置情報に合わせて設定可能とし、配信範囲を情報の性質や種別等に合わせて柔軟に設定可能とし、配信情報と受信者側のニーズとの整合性も高めた、サーバ装置等を提供すること。【解決手段】サーバ装置１は、配信側の情報端末２と情報利用側の情報端末３と通信する通信部１２と、情報端末２から送信された配信者情報及び配信情報を配信条件と対応付けて登録する情報登録部１１ｂと、情報端末３から位置情報を含む情報配信要求を受けたとき、配信情報の中から位置情報が配信条件に合致する配信情報を抽出し、当該配信情報を情報端末３に配信するよう制御する配信制御部１１ｅとを備え、配信条件とは、配信側の位置情報を基準点として当該基準点からの配信距離で定まる配信範囲を含み、配信条件に合致する配信情報とは、情報端末３の位置情報が配信範囲内となる配信情報である。【選択図】図３
2016212785.tif 000002
【特許請求の範囲】
【請求項１】
配信側の第１情報端末と情報利用側の第２情報端末と通信自在なサーバ装置であって、
上記第１及び第２情報端末と通信する通信手段と、
上記第１情報端末から送信された配信者情報及び配信情報を配信条件と対応付けて登録する登録手段と、
上記第２情報端末から位置情報を含む情報配信要求を受けたとき、上記配信情報の中から上記位置情報が配信条件に合致する配信情報を抽出し、当該配信情報を第２情報端末に配信するよう制御する配信制御手段と、を備え、
上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である
サーバ装置。
【請求項２】
上記第２情報端末からの情報配信要求には情報区分も含まれ、
上記配信制御手段は、上記情報区分に該当する配信情報に絞り込んだ後に、上記配信条件に合致する配信情報を選定する
請求項１に記載のサーバ装置。
【請求項３】
上記配信側の配信情報として、種別の異なる複数の配信情報を登録することができ、
上記配信条件は、上記配信情報の種別に応じて個々に設定される
請求項１に記載のサーバ装置。
【請求項４】
配信側の第１情報端末と、情報利用側の第２情報端末と、サーバ装置とが、通信自在に接続された情報配信システムであって、
上記第１情報端末は、
第１通信手段と、
上記第１通信手段を介して、配信者情報及び配信情報を上記サーバ装置に送信するよう制御する第１制御手段と、
を備え、
上記第２情報端末は、
第２通信手段と、
上記第２通信手段を介して、上記サーバ装置に、位置情報を含む情報配信要求を送信するよう制御する第２制御手段と、
を備え、
上記サーバ装置は、
上記第１及び第２情報端末と通信するサーバ通信手段と、
上記第１情報端末から送信された配信者情報及び配信情報を配信条件と対応付けて登録する登録手段と、
上記第２情報端末から位置情報を含む情報配信要求を受けたとき、上記配信情報の中から上記位置情報が配信条件に合致する配信情報を抽出し、当該配信情報を第２情報端末に配信するよう制御する配信制御手段と、
を備え、
上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である
情報配信システム。
【請求項５】
配信側の第１情報端末と、情報利用側の第２情報端末と、サーバ装置とが、通信自在に接続された情報配信システムによる情報配信方法であって、
上記サーバ装置が、
上記第１情報端末から送信された配信者情報及び配信情報を登録するステップと、
上記配信情報を配信条件と対応付けて記憶するステップと、
上記第２情報端末から位置情報を含む情報配信要求を受けたとき、上記配信情報の中から上記位置情報が配信条件に合致する配信情報を抽出し、当該配信情報を第２情報端末に配信するステップと、を有し、
上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である
情報配信方法。
【請求項６】
配信側の第１情報端末と情報利用側の第２情報端末と通信自在なサーバ装置にて実行されるプログラムであって、
上記サーバ装置が、
上記第１情報端末から送信された配信者情報及び配信情報を配信条件と対応付けて登録する登録手段と、
上記第２情報端末から位置情報を含む情報配信要求を受けたとき、上記配信情報の中から上記位置情報が配信条件に合致する配信情報を抽出し、当該配信情報を上記第２情報端末に配信するよう制御する配信制御手段と、して機能し、
上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である
プログラム。
【発明の詳細な説明】
【技術分野】
【０００１】
本発明は、配信情報を配信条件に基づいて配信する情報配信システム、情報配信方法、サーバ装置、及びプログラムに関する。
【背景技術】
【０００２】
近年、スマートフォンやタブレット端末といった情報端末は、無線通信機能を備えていることから、外出先においても、各種ネットワークを介して所望とするコンテンツの配信を受けたり、情報の検索を行ったりすることが可能となっている。そして、このような情報端末は、ＧＰＳ（Global Positioning System）等により位置情報をリアルタイムで取得できることから、当該位置情報を活用した情報の配信もなされている。
【０００３】
例えば、特許文献１では、ＧＰＳを搭載した携帯電話からサーバにアクセスして位置情報を送信すると、サーバのデータベースに登録済みのご当地情報の中から、配信範囲に含まれる情報をダウンロードできる情報提供システムが開示されている。
【先行技術文献】
【特許文献】
【０００４】
【特許文献１】特開２０１０−３３５２５号公報
【発明の概要】
【発明が解決しようとする課題】
【０００５】
しかしながら、特許文献１をはじめとする技術では、配信範囲は、何ｋｍ以内等と一律に決まっており、配信範囲を定める基点を配信者に合わせて設定し、更に基点から配信範囲を情報の性質、種別に合わせて柔軟に設定可能とする技術は存在しなかった。
【０００６】
即ち、「情報が距離を持つ」との技術的思想は、従来、存在しない。
【０００７】
また、ユーザの嗜好、ニーズと関係なく、配信範囲に入るか否かにより配信者側の設定した情報を一律に配信していたいので、ニーズとの整合性が高くなく、不要な情報までも配信されてしまう可能性があった。
【０００８】
本発明は、このような課題に鑑みてなされたものであり、配信範囲の基点を配信者の位置情報に合わせて設定可能とし、配信範囲を情報の性質や種別等に合わせて柔軟に設定可能とし、配信情報と受信者側のニーズとの整合性も高めた、情報配信システム、情報配信方法、サーバ装置、及びプログラムを提供することを目的とする。
【課題を解決するための手段】
【０００９】
上記課題を解決するため、本発明の一態様に係るサーバ装置は、配信側の第１情報端末と情報利用側の第２情報端末と通信自在なサーバ装置であって、上記第１及び第２情報端末と通信する通信手段と、上記第１情報端末から送信された配信者情報及び配信情報を配信条件と対応付けて登録する登録手段と、上記第２情報端末から位置情報を含む情報配信要求を受けたとき、上記配信情報の中から上記位置情報が配信条件に合致する配信情報を抽出し、当該配信情報を第２情報端末に配信するよう制御する配信制御手段とを備え、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である。
【００１０】
本発明の他の態様に係る情報配信システムは、配信側の第１情報端末と、情報利用側の第２情報端末と、サーバ装置とが、通信自在に接続された情報配信システムであって、上記第１情報端末は、第１通信手段と、上記第１通信手段を介して、配信者情報及び配信情報を上記サーバ装置に送信するよう制御する第１制御手段と、を備え、上記第２情報端末は、第２通信手段と、上記第２通信手段を介して、上記サーバ装置に、位置情報を含む情報配信要求を送信するよう制御する第２制御手段と、を備え、上記サーバ装置は、上記第１及び第２情報端末と通信するサーバ通信手段と、上記第１情報端末から送信された配信者情報及び配信情報を配信条件と対応付けて登録する登録手段と、上記第２情報端末から位置情報を含む情報配信要求を受けたとき、上記配信情報の中から上記位置情報が配信条件に合致する配信情報を抽出し、当該配信情報を第２情報端末に配信するよう制御する配信制御手段と、を備え、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である。
【００１１】
本発明の他の態様に係る情報配信方法は、配信側の第１情報端末と、情報利用側の第２情報端末と、サーバ装置とが、通信自在に接続された情報配信システムによる情報配信方法であって、上記サーバ装置が、上記第１情報端末から送信された配信者情報及び配信情報を配信条件と対応付けて登録するステップと、上記第２情報端末から位置情報を含む情報配信要求を受けたとき、上記配信情報の中から上記位置情報が配信条件に合致する配信情報を抽出し、当該配信情報を第２情報端末に配信するステップとを有し、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である。
【００１２】
本発明の他の態様に係るプログラムは、配信側の第１情報端末と情報利用側の第２情報端末と通信自在なサーバ装置にて実行されるプログラムであって、上記サーバ装置が、上記第１情報端末から送信された配信者情報及び配信情報を配信条件と対応付けて登録する登録手段と、上記第２情報端末から位置情報を含む情報配信要求を受けたとき、上記配信情報の中から上記位置情報が配信条件に合致する配信情報を抽出し、当該配信情報を上記第２情報端末に配信するよう制御する配信制御手段として機能し、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である。
【発明の効果】
【００１３】
本発明によれば、配信範囲の基点を配信者の位置情報に合わせて設定可能とし、配信範囲を情報の性質や種別等に合わせて柔軟に設定可能とし、配信情報と受信者側のニーズとの整合性も高めた、情報配信システム、情報配信方法、サーバ装置、及びプログラムを提供することができる。
【図面の簡単な説明】
【００１４】
【図１】本発明の一実施形態に係る情報配信システムの構成図である。
【図２】本発明の一実施形態に係る情報配信システムによる配信範囲の考え方を説明するための図である。
【図３】本発明の一実施形態に係るサーバ装置の構成図である。
【図４】本発明の一実施形態に係る情報配信システムの情報端末の構成図である。
【図５】本発明の一実施形態に係る情報配信システムの情報端末の構成図である。
【図６】本発明の一実施形態に係る情報配信システムによる配信者登録の流れを説明するフローチャートである。
【図７】本発明の一実施形態に係る情報配信システムによる情報登録の流れを説明するフローチャートである。
【図８】本発明の一実施形態に係る情報配信システムによる情報配信の流れを説明するフローチャートである。
【図９】ログイン画面の構成例を示す図である。
【図１０】店舗選択画面の一例を示す図である。
【図１１】情報一覧画面の一例を示す図である。
【図１２】情報登録画面の一例を示す図である
【図１３】情報区分設定画面の一例を示す図である。
【図１４】（ａ）は受信情報一覧画面の一例を示す図であり、（ｂ）は受信情報詳細画面の一例を示す図である。
【図１５】情報マッピング表示画面の一例を示す図である。
【図１６】配信者マッピング表示画面の一例を示す図である。
【発明を実施するための形態】
【００１５】
以下、図面を参照しつつ本発明の実施形態について説明する。
【００１６】
図１には本発明の一実施形態に係る情報配信システムの構成を示し説明する。同図に示されるように、情報配信システムは、サーバ装置１を備えており、サーバ装置１と配信者の情報端末２、サーバ装置１とサービス利用者の情報端末３、又はサーバ装置１と配信者の情報端末２とサービス利用者の情報端末３、のいずれかの組み合わせを含む構成となっている。サーバ措置１と情報端末２と情報端末３とは、インターネット等のネットワーク４を介して通信自在に接続されている。
【００１７】
このような構成において、サービス利用者は、スマートフォンやタブレット端末等、自らの位置情報を取得できる情報端末３を所持しており、情報端末３でアプリケーションプログラムを実行し、受信を所望する情報区分を予め設定している。一方、配信者は、ノートパソコン等の情報端末２を所持しており、店舗や観光地などの位置情報、情報区分、配信距離、配信期間等を登録している。サーバ装置１は、配信距離内にあり、配信期間内であり、設定された情報区分と合致する設定をしている受信者の情報端末３に、登録されている情報を配信する。この配信される情報としては、広告、ちらし、ＷＥＢメール等がある。但し、これに限定されない。
【００１８】
図２を参照して、本発明の一実施形態に係る情報配信システムによる配信範囲の考え方を説明する。同図に示されるように、情報配信システムでは、配信者は、情報端末２を操作することで、サーバ装置１に対して店舗や観光地等の位置から何ｋｍ等と配信の基準点と配信距離とを登録できるようになっている。従って、例えば、スーパーの特価品情報など、近隣住民向けの情報は配信距離を短距離（例えば、１ｋｍ）に設定し、学校行事等の情報は配信距離を中距離（例えば、３ｋｍ）に設定し、市町村のイベント等の情報は配信距離を長距離（例えば、１０ｋｍ）に設定することができる。
【００１９】
図３には本発明の一実施形態に係るサーバ装置の構成を示し説明する。同図に示されるように、サーバ装置１は、全体の制御を司る制御部１１、通信部１２、配信データベース（以下、ＤＢと略記する）１３、ユーザＤＢ１４、及び記憶部１５を備えている。制御部１１は、記憶部１５のプログラムを読み出し実行することで、主制御部１１ａ、情報登録部１１ｂ、配信管理部１１ｃ、ユーザ管理部１１ｄ、及び配信制御１１ｅ等として機能することになる。
【００２０】
このような構成において、通信部１２は、ネットワーク４を介して情報端末２，３とのデータの送受信を行う。記憶部１５は、ＲＡＭ、ＲＯＭ、及びＨＤＤ等からなり、プログラムを記憶していると共に、プログラム実行時にはワークエリアを提供する。配信ＤＢ１３は、配信者情報と配信情報と配信済情報とを記憶している。ユーザＤＢ１４は、サービスの提供を受けるユーザの情報を記憶している。
【００２１】
主制御部１１ａは、上記通信部１２を介してデータのやり取り等、主制御を司る。情報登録部１１ｂは、配信者の情報端末２より送信されてきた配信者情報や配信情報を配信ＤＢ１３に登録する。配信管理部１１ｃは配信ＤＢ１３の配信者情報と配信情報と配信済情報を更新するなど、配信ＤＢ１３の各種情報を管理している。ユーザ管理部１１ｄは、ユーザＤＢ１４のユーザの情報を更新するなど、ユーザＤＢ１４の情報を管理している。配信制御部１１ｅは、サービス利用者の情報端末３よりリクエストがあった場合には、詳細は後述するような所定の条件を満たす配信情報を配信するように制御する。
【００２２】
図４には本発明の一実施形態に係る情報配信システムにおける配信者側の情報端末の構成を示し説明する。同図に示されるように、配信者側の情報端末２は、全体の制御を司る制御部２１、通信部２２、操作部２３、表示部２４、及び記憶部２５を備えている。制御部２１は、記憶部２５のプログラムを読み出し実行することで、主制御部２１ａ、位置情報取得部２１ｂ、配信者情報登録部２１ｃ、配信情報登録部２１ｄ、及び表示制御部２１ｅ等として機能することになる。
【００２３】
このような構成において、通信部２２は、インターネット等のネットワーク４を介してサーバ装置１や情報端末３とのデータの送受信を行う。記憶部２５は、例えばＲＡＭ、ＲＯＭ、及びＨＤＤ等からなり、プログラムを記憶していると共に、プログラム実行時にはワークエリアを提供する。操作部２３は操作を受け付ける。表示部２４は、各種情報の入力画面等を表示する。これら操作部２３と表示部２４とは、タッチパネルとして一体化されていてもよい。
【００２４】
主制御部２１ａは、上記通信部２２を介してデータのやり取り等、主制御を司る。位置情報取得部２１ｂは、ＧＰＳ機能等により情報端末２の位置情報を取得する。配信者情報登録部２１ｃは、例えば、店舗名（観光地名等含む）、位置情報（緯度、経度）等を含む配信者情報の登録をサーバ装置１に対して行う。配信情報登録部２１ｄは、例えば、タイトル、メッセージ、公開開始日時、公開終了日時、情報区分、基準点（緯度、経度）、公開範囲等を含む配信情報の登録を、サーバ装置１に対して行う。そして、表示制御部２１ｅは表示部２４における各種表示を制御する。
【００２５】
図５には本発明の一実施形態に係る情報配信システムにおける受信者側の情報端末の構成を示し説明する。同図に示されるように、サービス利用者側の情報端末３は、全体の制御を司る制御部３１、通信部３２、操作部３３、表示部３４、及び記憶部３５を備えている。制御部３１は、記憶部３５のプログラムを読み出して実行することで、主制御部３１ａ、情報区分設定部３１ｂ、位置情報取得部３１ｃ、配信要求部３１ｄ、及び表示制御部３１ｅ等として機能することになる。
【００２６】
このような構成において、通信部３２は、インターネット等のネットワーク４を介してサーバ装置１や情報端末２とのデータの送受信を行う。記憶部３５は、例えばＲＡＭ、ＲＯＭ、及びＨＤＤ等からなり、プログラムを記憶していると共に、プログラム実行時にはワークエリアを提供する。操作部３３は操作を受け付ける。表示部３４は、各種情報の入力画面等を表示する。これら操作部３３と表示部３４とは、タッチパネルとして一体化されていてもよい。
【００２７】
主制御部３１ａは、上記通信部３２を介してデータのやり取り等、主制御を司る。情報区分設定部３１ｂは、配信を所望とする情報の区分（カテゴリ）を設定する。位置情報取得部３１ｃは、ＧＰＳ機能等により情報端末３の位置情報を取得する。配信要求部３１ｄは、配信のリクエストをサーバ装置１に対して行う。そして、表示制御部２１ｅは表示部２４における各種表示を制御する。
【００２８】
以下、図６のフローチャートを参照して、本発明の一実施形態に係る情報配信システムによる配信者情報登録の流れを説明する。情報端末２は、表示部２４に表示された登録情報入力画面において登録情報を入力する（Ｓ１）。登録情報としては、店舗名や観光地名等がある。複数店舗について登録する場合、それぞれの店舗名等を入力する。続いて位置情報取得部２１ｂが、ＧＰＳ機能等により位置情報を取得する（Ｓ２）。そして、配信者情報登録部２１ｃが、入力された登録情報と位置情報とを配信者情報としてサーバ装置１に登録するために送信する（Ｓ３）。サーバ装置１では、通信部１２を介して配信者情報を受信すると（Ｓ４）、情報登録部１１ｂが、配信者情報を配信ＤＢ１３に登録する（Ｓ５）。こうして配信者情報登録に係る一連の処理を終了する。
【００２９】
次に図７のフローチャートを参照して、本発明の一実施形態に係る情報配信システムによる配信情報登録の流れを説明する。情報端末２は、表示部２４に表示された配信情報入力画面（図１２で後述）において配信情報を入力する（Ｓ１１）。この配信情報は、タイトル、メッセージ、公開開始日時、公開期間、公開終了日時、情報区分、公開範囲、カテゴリ等を含んでいる。そして、配信情報登録部２１ｄは、配信情報をサーバ装置１に登録するために送信する（Ｓ１２）。サーバ装置１では、通信部１２を介して配信情報を受信すると（Ｓ１３）、配信ＤＢ１３を参照して配信者の登録された位置情報（緯度、経度）を読み出し（Ｓ１４）、情報登録部１１ｂが、配信情報を位置情報と対応付けて配信ＤＢ１３に登録する（Ｓ１５）。こうして配信情報登録に係る一連の処理を終了する。
【００３０】
次に図８のフローチャートを参照して、本発明の一実施形態に係る情報配信システムによる情報配信の流れを説明する。サービス利用者は情報端末３で、表示部３４に表示された入力画面（図１３で後述）に基づいて操作入力を受付、情報区分設定部３１ｂが情報区分の設定を行い（Ｓ２１）、位置情報取得部３１がＧＰＳ機能等に基づいて端末３の位置情報を取得する（Ｓ２２）。そして、配信要求部３１ｄが、情報配信リクエストをサーバ装置１に対して行う（Ｓ２３）。このリクエストに際しては、少なくとも情報区分の情報と位置情報とをサーバ装置１に対して送信する。
【００３１】
サーバ装置１では、この情報配信リクエストを受信すると（Ｓ２４）、配信制御部１１ｅが配信条件に合致するか否かを判断する（Ｓ２５）。ここで、配信条件に合致する配信情報が存在しない場合には（Ｓ２５をＮｏ）、終了となる。一方、配信条件に合致する配信情報が存在する場合には（Ｓ２５をＹｅｓ）、その配信情報が既に配信済であるか否かを判断する（Ｓ２６）。ここで、配信済である場合（Ｓ２６をＹｅｓ）、終了となる。一方、配信済でない場合には、配信制御部１１ｅは、その配信情報を、通信部１２を介してサービス利用者の端末２に配信する（Ｓ２７）。こうして、配信済情報に登録をし（Ｓ２８）、処理を終了する。情報端末３側では、この配信情報を、通信部３２を介して受信し（Ｓ２９）、表示制御部３１ｅの制御の下、表示部３４に表示して閲覧可能とする。こうして、情報配信に係る一連の処理を終了する。
【００３２】
配信者は、情報端末２により、以上のように配信者情報の登録、配信情報の登録をした後においては、図９に示されるようなログイン画面にアカウント名、パスワードを入力することで、登録情報をいつでも確認することができる。
【００３３】
先ず、図１０は、店舗選択の画面であり、配信者登録のときに複数の店舗名（又は観光地名）等を登録しているときには、この画面で配信情報を確認する店舗等を選択することができる。この店舗選択の画面では、ＩＤと店舗名、及び位置情報（緯度、経度）が対応付けられて表示される。
【００３４】
一方、各店舗について既に登録されている配信情報については、図１１に示すような情報一覧画面で確認することができる。即ち、情報一覧画面では、配信情報として、タイトル、メッセージ、公開開始日時、公開終了日時、情報区分、位置情報（緯度、経度）、及び公開範囲（ｍ）が対応付けられて表示される。
【００３５】
更に、配信情報を追加したいときには、図１１の画面で「情報追加」のボタンを選択すると、図１２に示されるような情報入力画面に遷移する。図１２の情報入力画面では、配信情報のタイトル、メッセージ、公開開始日時、公開期間、公開終了日時、情報区分、公開範囲、及びカテゴリが、入力又は選択可能となっている。
【００３６】
一方、サービス利用者は、情報端末３にて、図１３に示されるような情報区分設定画面にて所望とする区分を選択することで、情報区分を設定することができる。この図１３の例では、広告、求人のうち少なくともいずれかの選択をすることができる。さらに、飲食店の配信情報について、ラーメン、寿司、スイーツ、焼肉、和食、洋食、中華、スペインの中から所望とするものを１つ以上選択することができる。また、宿泊施設からの配信情報について、旅館、ホテル、ビジネスホテルの中から所望とするものを１つ以上選択することができる。この情報区分設定情報は、情報配信リクエストの際にサーバ装置１に対して送信されるので、これら選択された情報区分に属する配信情報のみの配信を受けることが可能となる。尚、情報区分は、これらには限定されない。
【００３７】
サーバ装置１から配信情報が配信されると、サービス利用者の情報端末３では、配信情報を受信し、図１４（ａ）、図１４（ｂ）に示されるような画面を表示する。即ち、図１４（ａ）は受信情報一覧画面であり、受信された配信情報が時系列で並べられ、各配信情報のタイトル、配信者名、及び受信日が少なくとも表示される。そして、１つの配信情報が選択されると、図１４（ｂ）に示されるような情報詳細画面に遷移し、本文を確認することができるようになる。
【００３８】
以上のほか、図１５に示されるように、地図上に配信情報のタイトルをマッピングして表示したり、図１６に示されるように、地図上に配信情報の配信者をマッピングして表示したりすることも可能である。
【００３９】
以上説明したように、本発明の一実施形態によれば、配信側の第１情報端末としての情報端末２と情報利用側の第２情報端末としての情報端末３と通信自在なサーバ装置１であって、第１及び第２情報端末と通信する通信手段としての通信部１２と、第１情報端末から送信された配信者情報及び配信情報を配信条件と対応付けて登録する登録手段としての情報登録部１１ｂと、第２情報端末から位置情報を含む情報配信要求を受けたとき、配信情報の中から位置情報が配信条件に合致する配信情報を抽出し、当該配信情報を第２情報端末に配信するよう制御する配信制御手段としての配信制御部１１ｅとを備え、配信条件とは、配信側の位置情報を基準点として当該基準点からの配信距離で定まる配信範囲を含み、配信条件に合致する配信情報とは、第２情報端末の位置情報が上記配信範囲内となる配信情報であるサーバ装置が提供される。従って、配信側の情報端末の位置情報を基準点として所定範囲に存在する情報利用側の情報端末にのみ、チラシや広告、クーポン等を含む配信情報を提供することができるので、広告活動や販促活動を好適な範囲で好適な人に対象を絞り込んで行うことが可能となる。
【００４０】
ここで、第２情報端末からの情報配信要求には情報区分も含まれ、配信制御手段は、情報区分に該当する配信情報に絞り込んだ後に、配信条件に合致する配信情報を選定することとしてよい。従って、情報利用側の情報端末で所望とされる情報区分の配信情報に絞り込んで配信することができるので、受け手側の関心度の大きい情報のみを効率的に提供することができる。さらに、配信側の配信情報として、種別の異なる複数の配信情報を登録することができ、上記配信条件は、上記配信情報の種別に応じて個々に設定されることとしてよい。従って、例えば、スーパーのチラシであれば近距離、市町村のイベント情報であれば中距離等と、情報の種別に応じて配信範囲を自由に設定することができるので、情報を最適な範囲で最適な人に配信することができる。
【００４１】
また、本発明の一実施形態によれば、配信側の第１情報端末としての情報端末２と、情報利用側の第２情報端末としての情報端末３と、サーバ装置１とが、通信自在に接続された情報配信システムであって、第１情報端末は、第１通信手段としての通信部２２と、第１通信手段を介して配信者情報及び配信情報をサーバ装置に送信するよう制御する第１制御手段としての制御部２１とを備え、第２情報端末は、第２通信手段としての通信部３２と、第２通信手段を介して、サーバ装置に、位置情報を含む情報配信要求を送信するよう制御する第２制御手段としての制御部３１とを備え、サーバ装置１は、上記第１及び第２情報端末と通信するサーバ通信手段としての通信部１２と、第１情報端末から送信された配信者情報及び配信情報を配信条件と対応付けて登録する登録手段としての情報登録部１１ｂと、第２情報端末から位置情報を含む情報配信要求を受けたとき、配信情報の中から位置情報が配信条件に合致する配信情報を抽出し、当該配信情報を第２情報端末に配信するよう制御する配信制御手段としての配信制御部１１ｅとを備え、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である情報配信システムが提供される。従って、配信側の情報端末の位置情報を基準点として所定範囲に存在する情報利用側の情報端末にのみ、チラシや広告、クーポン等を含む配信情報を提供することができるので、広告活動や販促活動を好適な範囲で好適な人に対象を絞り込んで行うことが可能となる。
【００４２】
さらに、本発明の一実施形態によれば、配信側の第１情報端末しての情報端末２と、情報利用側の第２情報端末としての情報端末３と、サーバ装置１とが、通信自在に接続された情報配信システムによる情報配信方法であって、上記サーバ装置１が、上記第１情報端末から送信された配信者情報及び配信情報を登録するステップと、上記配信情報を配信条件と対応付けて記憶するステップと、上記第２情報端末から位置情報を含む情報配信要求を受けたとき、上記配信情報の中から上記位置情報が配信条件に合致する配信情報を抽出し、当該配信情報を第２情報端末に配信するステップと、を有し、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報である情報配信方法が提供される。従って、配信情報が距離の情報を持つことになり、好適な範囲で配信されることになる。
【００４３】
そして、本発明の一実施形態によれば、配信側の第１情報端末としての情報端末２と情報利用側の第２情報端末としての情報端末３と通信自在なサーバ装置１にて実行されるプログラムであって、上記サーバ装置１が、上記第１情報端末から送信された配信者情報及び配信情報を配信条件と対応付けて登録する登録手段としての情報登録部１１ｂと、上記第２情報端末から位置情報を含む情報配信要求を受けたとき、上記配信情報の中から上記位置情報が配信条件に合致する配信情報を抽出し、当該配信情報を上記第２情報端末に配信するよう制御する配信制御手段としての配信制御部１１ｅとして機能し、上記配信条件とは、配信側の位置情報を基準点として当該基準点からの配信距離で定まる配信範囲を含み、上記配信条件に合致する配信情報とは、上記第２情報端末の位置情報が上記配信範囲内となる配信情報であるプログラムが提供される。従って、サーバ装置１にてプログラムを実行させることで、配信情報を最適な範囲で配信することができるようになる。尚、プログラムを格納したコンピュータ読み取り可能な記憶媒体としての実施も可能である。
【００４４】
本発明の実施形態によれば、以下の効果が奏される。
（１）スーパーなどの店舗では、タイムセール告知など近所に配信できればよい情報を主婦等のタイムセール情報を必要としている受信者にターゲットを絞ってリアルタイムに配信ができるという効果が得られる。
（２）見つけ難い位置に存在する店舗などでもアピールすることができるのでシャッター街の活性化に繋がる効果が得られる。
（３）市や町などでは観光地情報やお祭り情報を広範囲にわたって配信ができるので地域活性化に繋がる効果が得られる。
（４）災害時などの緊急の際には情報区分のフィルタをはずし配信することで広範囲にわたり、リアルタイムに適切な情報を配信できる。
（５）配信者の現在位置をリアルタイムに更新することにより、焼き芋屋やパン屋等の移動するお店の現在位置を知ることができる。
【００４５】
以上、本発明の一実施形態について説明したが、本発明はこれに限定されず、その趣旨を逸脱しない範囲で種々の改良・変更が可能であることは勿論である。例えば、配信者自身が移動店舗のような場合でも、配信者の位置情報を定期的に更新するようにすれば上記同様の作用効果を奏することができる。
【符号の説明】
【００４６】
１…サーバ装置、２…情報端末、３…情報端末、４…ネットワーク、１１…制御部、１１ａ…主制御部、１１ｂ…情報登録部、１１ｃ…配信管理部、１１ｄ…ユーザ管理部、１１ｅ…配信制御部、１２…通信部、１３…配信ＤＢ、１４…ユーザＤＢ、１５…記憶部、２１…制御部、２１ａ…主制御部、２１ｂ…位置情報取得部、２１ｃ…配信情報登録部、２１ｄ…表示制御部、２２…通信部、２３…操作部、２４…表示部、２５…記憶部、３１…制御部、３１ａ…主制御部、３１ｂ…位置情報取得部、３１ｃ…配信要求部、３１ｄ…表示制御部、３２…通信部、３３…操作部、３４…表示部、３５…記憶部。
【図１】
2016212785.tif 000003
【図２】
2016212785.tif 000004
【図３】
2016212785.tif 000005
【図４】
2016212785.tif 000006
【図５】
2016212785.tif 000007
【図６】
2016212785.tif 000008
【図７】
2016212785.tif 000009
【図８】
2016212785.tif 000010
【図９】
2016212785.tif 000011
【図１０】
2016212785.tif 000012
【図１１】
2016212785.tif 000013
【図１２】
2016212785.tif 000014
【図１３】
2016212785.tif 000015
【図１４】
2016212785.tif 000016
【図１５】
2016212785.tif 000017
【図１６】
2016212785.tif 000018